(57)【要約】【課題】パッシブ型ＩＣタグとアクティブ型ＩＣタグとを１つのケースに収納してユーザの利便性を高めつつ、アクティブ型ＩＣタグを操作するためのスイッチ機構の誤操作を低減する。【解決手段】無線タグ装置は、溝を有するケースと、溝内に収納されて溝に沿ってスライド移動することでケースに対して出し入れ可能に構成されたパッシブ型ＩＣタグと、ケース内に設けられ外部の機器と無線通信を行うことができるアクティブ型ＩＣタグと、ユーザからの入力操作を受ける入力部と、入力部に入力された入力操作に基づいてアクティブ型ＩＣタグの駆動を制御するスイッチと、を有するスイッチ機構と、を備える。入力部は、パッシブ型ＩＣタグがケースに収納された収納状態において操作入力を受け付けない操作不可状態となり、パッシブ型ＩＣタグが収納状態からスライド移動した場合に操作入力を受け付ける操作可能状態となる。【選択図】図２
2020119003.tif 000002
【特許請求の範囲】
【請求項１】
溝を有するケースと、
外部の機器から発せられる電波を受けて駆動し、前記溝内に収納されて前記溝に沿ってスライド移動することで前記ケースに対して出し入れ可能に構成されたパッシブ型ＩＣタグと、
前記ケース内に設けられ、電池によって駆動して外部の機器と無線通信を行うことができるアクティブ型ＩＣタグと、
ユーザからの入力操作を受ける入力部と、前記入力部に入力された入力操作に基づいて前記アクティブ型ＩＣタグの駆動を制御するスイッチと、を有するスイッチ機構と、
を備え、
前記入力部は、前記パッシブ型ＩＣタグが前記ケースに収納された収納状態において操作入力を受け付けない操作不可状態となり、前記パッシブ型ＩＣタグが前記収納状態からスライド移動した場合に操作入力を受け付ける操作可能状態となる、
無線タグ装置。
【請求項２】
前記入力部は、前記溝の底部から露出して設けられており、前記パッシブ型ＩＣタグが前記収納状態の場合には前記パッシブ型ＩＣタグに覆われて前記操作不可状態となり、前記パッシブ型ＩＣタグが前記収容状態からスライド移動した場合に前記パッシブ型ＩＣタグに覆われずに外部に露出して前記操作可能状態となる、
請求項１に記載の無線タグ装置。
【請求項３】
前記パッシブ型ＩＣタグに設けられ前記溝の底部側へ突出する突出部を更に備え、
前記入力部は、前記溝の底部から露出しかつ前記パッシブ型ＩＣタグが前記収納状態の場合において前記突出部とは重ならない位置に設けられており、
前記パッシブ型ＩＣタグが前記収納状態からスライド移動して前記入力部と前記突出部とが重なった状態で前記パッシブ型ＩＣタグに押圧操作が入力されるとその押圧操作が前記突出部を介して前記入力部に伝達されて前記スイッチが操作される、
請求項１に記載の無線タグ装置。
【請求項４】
前記ケースは、前記溝の底部から突出して設けられて前記パッシブ型ＩＣタグを支持する支持部を更に有している、
請求項３に記載の無線タグ装置。
【請求項５】
前記入力部は、前記パッシブ型ＩＣタグがスライド移動の終端位置にある場合に前記突出部と重なる位置に設けられている、
請求項４に記載の無線タグ装置。
【請求項６】
前記入力部は、前記パッシブ型ＩＣタグがスライド移動の中間位置にある場合に前記突出部と重なる位置に設けられている、
請求項４に記載の無線タグ装置。
【発明の詳細な説明】
【技術分野】
【０００１】
本発明の実施形態は、無線タグ装置に関する。
【背景技術】
【０００２】
例えば従来、ホームセキュリティ等の分野においては、防犯センサ等の警備機器を制御する制御装置に対し、各種設定や警備状態の解除等の操作を行う際の認証としてパッシブ型ＩＣタグが用いられている。ユーザは、自己が所有するパッシブ型ＩＣタグを、制御装置の所定の位置に近づけたり、制御装置に設けられた挿入口に挿入したりするなどして個人の認証を行う。しかしながら、パッシブ型ＩＣタグは、制御装置から発せられる電波によって駆動するため、制御装置に対して接触する程度の至近距離まで接近させる必要がある。そのため、ユーザは、例えば警備状態の解除操作をするために、いちいち鞄等からＩＣタグを取り出して制御装置に近づけることが必要であり、操作に手間がかかっていた。
【０００３】
そこで、パッシブ型ＩＣタグに換えて、アクティブ型ＩＣタグを用いることが考えられる。アクティブ型ＩＣタグは、内蔵する電池によって駆動し自ら電波を発するため、パッシブ型ＩＣタグよりも通信可能な距離が長い。そのため、ユーザは、例えば警備状態の解除操作等を行う際に、いちいち鞄等からＩＣタグを取り出して制御装置に近づける必要がなくなり、したがって操作の手間が軽減されて利便性を向上させることができる。
【０００４】
しかしながら、アクティブ型ＩＣタグは、電池が切れた場合には操作が出来なくなる。このため、パッシブ型ＩＣタグも引き続き併用することが望まれる。この場合、パッシブ型ＩＣタグとアクティブ型ＩＣタグとが分離していると、ユーザの管理が煩雑になる。そのため、パッシブ型ＩＣタグとアクティブ型ＩＣタグとを併用する場合には、これらは共通のケースに収納されていると便利である。
【０００５】
この場合、アクティブ型ＩＣタグにおいては、アクティブ型ＩＣタグの電源をＯＮ、ＯＦＦする際や、制御装置に対する設定の登録を行う際、又は電池残量の確認を行う際など、ユーザによる操作が必要な場面がある。このため、ケースには、アクティブ型ＩＣタグを操作するためのスイッチ機構を設ける必要がある。しかし、スイッチ機構の入力部がケースの外部に露出していると、鞄の中などで入力部が押されっ放しになるなどして誤操作につながる可能性がある。そして、このような誤操作が生じると、無駄に電力が消費されてしまい、ユーザが使用したいときに電池切れで使用できない等の不都合が生じ得る。
【先行技術文献】
【特許文献】
【０００６】
【特許文献１】特開２００６−１８８９４１号公報
【発明の概要】
【発明が解決しようとする課題】
【０００７】
本発明は上記事情に鑑みてなされたものであり、その目的は、パッシブ型ＩＣタグとアクティブ型ＩＣタグとを１つのケースに収納してユーザの利便性を高めつつ、アクティブ型ＩＣタグを操作するためのスイッチ機構の誤操作を低減することができる無線タグ装置を提供することにある。
【課題を解決するための手段】
【０００８】
（請求項１）
請求項１に係る無線タグ装置は、溝を有するケースと、外部の機器から発せられる電波を受けて駆動し、前記溝内に収納されて前記溝に沿ってスライドすることで前記ケースに対して出し入れ可能に構成されたパッシブ型ＩＣタグと、前記ケース内に設けられ、電池によって駆動して外部の機器と無線通信を行うことができるアクティブ型ＩＣタグと、ユーザからの入力操作を受ける入力部と、前記入力部に入力された入力操作に基づいて前記アクティブ型ＩＣタグの駆動を制御するスイッチと、を有するスイッチ機構と、を備える。
【０００９】
この構成によれば、パッシブ型ＩＣタグとアクティブ型ＩＣタグとが１つの共通するケースに収納されている。このため、例えばパッシブ型ＩＣタグとアクティブ型ＩＣタグとが鞄の中で分散してしまい、ＩＣタグを探すために手間を要するといったことを回避できる。このように、本構成によれば、ユーザは、無線タグ装置を１つの機器として管理することでパッシブ型ＩＣタグとアクティブ型ＩＣタグとの両方を管理することができる。このため、ユーザがパッシブ型ＩＣタグとアクティブ型ＩＣタグとの両方を携帯する場合でも、２つのＩＣタグの管理が容易になり、その結果、ユーザの利便性の向上が図られる。
【００１０】
そして、本構成によれば、前記入力部は、前記パッシブ型ＩＣタグが前記ケースに収納された収納状態において操作入力を受け付けない操作不可状態となり、前記パッシブ型ＩＣタグが前記ケースから引き出された非収納状態において操作入力を受け付ける操作可能状態となる。これによれば、無線タグ装置を鞄の中などに収納する場合、ユーザは、パッシブ型ＩＣタグをケースに収納して収納状態とすることで、パッシブ型ＩＣタグがケースによって保護される。更に、パッシブ型ＩＣタグをケースに収納して収納状態とすることで、入力部に対する操作が行えなくなることから、鞄の中などで入力部が押されっ放しになるなどの誤操作を低減することができる。その結果、誤操作によって鞄の中などで無駄に電力が消費されてしまい、ユーザが使用したいときに電池切れで使用できない等の不都合を抑制することができる。
【００１１】
（請求項２）
請求項２の無線タグ装置において、前記入力部は、前記溝の底部から露出して設けられており、前記パッシブ型ＩＣタグが前記収納状態の場合には前記パッシブ型ＩＣタグに覆われて前記操作不可状態となり、前記パッシブ型ＩＣタグが前記収容状態からスライド移動した場合に前記パッシブ型ＩＣタグに覆われずに外部に露出して前記操作可能状態となる。
【００１２】
これによれば、ユーザが無線タグ装置を鞄などに収納する際、パッシブ型ＩＣタグを収納状態にすることで、入力部がパッシブ型ＩＣタグに覆われて操作不可状態となる。これにより、入力部に対する誤操作をより確実に防止することができる。
【００１３】
また、本構成によれば、入力部は、溝の底部から露出して設けられている。これによれば、ユーザが入力部を操作する際、ユーザは、指を溝の内部に入れて入力部を操作する必要がある。このため、ケースの表面に入力部と設けた場合に比べて、本構成の入力部は、ユーザにとって操作し難い位置となっている。そして、指を溝に入れるという動作は、無線タグ装置を持ち運んだり、パッシブ型ＩＣタグを出し入れしたりするような普段の使用状況では行わない動作である。このように、本構成の入力部は、ケースの表面に入力部を設けた場合に比べてユーザにとって操作し難い位置に設けられており、また、入力部を操作する場合には、敢えて溝の中に指を入れるという普段の動作とは異なった動作とすることで、誤作動をより確実に抑制することができる。
【００１４】
また、ユーザが入力部に対する操作を行う場合、ユーザは、パッシブ型ＩＣタグを指で押すなどしてケースから出し入れする。ここで、入力部は、前記溝の底部から露出するように設けられている。このため、入力部は、パッシブ型ＩＣタグを指で押して入力部を露出させる際のユーザの指の移動軌跡上に位置することになる。そのため、ユーザは、パッシブ型ＩＣタグを押し出す動作に続いて入力部を操作することができる。つまり、パッシブ型ＩＣタグを押し出す動作と入力部の操作とを一連の動作で行うことができるため、操作性が良い。これらの結果、本構成によれば、入力部に対する誤作動をより確実に抑制しつつ操作性を向上させることができる。
【００１５】
（請求項３）
請求項３の無線タグ装置は、前記パッシブ型ＩＣタグに設けられ前記溝の底部側へ突出する突出部を更に備える。前記入力部は、前記溝の底部から露出しかつ前記パッシブ型ＩＣタグが前記収納状態の場合において前記突出部とは重ならない位置に設けられている。そして、前記パッシブ型ＩＣタグが前記収納状態からスライド移動して前記入力部と前記突出部とが重なった状態で前記パッシブ型ＩＣタグに押圧操作が入力されるとその押圧操作が前記突出部を介して前記入力部に伝達されて前記スイッチが操作される。
【００１６】
これによれば、ユーザは、パッシブ型ＩＣタグを押し出すための操作を入力する部位と、入力部に対する押圧操作を入力する部位とを、一か所に集約することができる。これにより、入力部に対する押圧操作を入力する際の操作をより簡単なものにすることができる。
【００１７】
また、本構成によれば、ユーザは、パッシブ型ＩＣタグを押し出した後にそのままパッシブ型ＩＣタグを押し込む、という一連の動作によって入力部に対する押圧操作を入力することができる。そのため、操作が簡単になるとともに、入力部が設けられている箇所を探す必要がなくなり、その結果、操作性の向上が図られる。更には、パッシブ型ＩＣタグを押し出して使用しながら入力部を操作する、といった場合にも、一か所に対する操作ですむため、操作が簡単になり、その結果、操作性の向上が図られる。
【００１８】
（請求項４）
請求項４の無線タグ装置において、前記ケースは、前記溝の底部から突出して設けられて前記パッシブ型ＩＣタグを支持する支持部を更に有している。これによれば、ユーザが入力部４２２に押圧操作を入力するためにパッシブ型ＩＣタグを押し込むと、パッシブ型ＩＣタグは支持部を支点に揺動する。したがって、支持部が設けられていない場合に比べて、突出部が入力部を押圧操作するために必要な突出部の移動量をより確実に確保することができる。その結果、少ない入力量で入力部を確実に押すことができるようになる。
【００１９】
（請求項５）
請求項５の無線タグ装置において、前記入力部は、前記パッシブ型ＩＣタグがスライド移動の終端位置にある場合に前記突出部と重なる位置に設けられている。これによれば、ユーザが入力部に対する操作を行う際、ケースから飛び出ている前記パッシブ型ＩＣタグの寸法が、前記パッシブ型ＩＣタグのスライド移動の範囲内において最大となる。この場合、ユーザがパッシブ型ＩＣタグを押し込んで入力部を操作すると、パッシブ型ＩＣタグの先端部分が大きく揺動する。これによれば、ユーザは、パッシブ型ＩＣタグを押し込んでスイッチ機構を操作した場合に、パッシブ型ＩＣタグの先端の揺動を見ることで、入力部が操作されたか否かをより確実に把握することができる。
【００２０】
（請求項６）
請求項６の無線タグ装置において、前記入力部は、前記パッシブ型ＩＣタグがスライド移動の中間位置にある場合に前記突出部と重なる位置に設けられている。すなわち、本構成では、入力部に対する操作を行うためにパッシブ型ＩＣタグをスライド移動させる位置と、パッシブ型ＩＣタグを使用する際にスライド移動させる位置とが、明確に異なっている。これによれば、パッシブ型ＩＣタグを使用する際の操作と、入力部を操作する際の操作とを、明確に異ならせることができる。その結果、ユーザがパッシブ型ＩＣタグを使用しようとしたにも関わらず、誤ってパッシブ型ＩＣタグが押し込まれてスイッチ機構が誤操作されてしまうような事態をより確実に防ぐことができる。
【図面の簡単な説明】
【００２１】
【図１】第１実施形態による無線タグ装置の一例を示す斜視図であって、入力部が操作不可状態となっている場合を示す図
【図２】第１実施形態による無線タグ装置の一例を示す斜視図であって、入力部が操作可能状態となっている場合を示す図
【図３】第１実施形態による無線タグ装置の一例を示す平面図であって、（Ａ）は入力部が操作不可状態となっている場合を示す図、（Ｂ）は入力部が操作可能状態となっている場合を示す図
【図４】第１実施形態による無線タグ装置の一例を示す断面図であって、（Ａ）は入力部が操作不可状態となっている場合を示す図、（Ｂ）は入力部が操作可能状態となって操作された場合を示す図
【図５】第２実施形態による無線タグ装置の一例を示す平面図であって、（Ａ）は入力部が操作不可状態となっている場合を示す図、（Ｂ）は入力部が操作可能状態となっている場合を示す図
【図６】第２実施形態による無線タグ装置の一例を示す断面図であって、（Ａ）は入力部が操作不可状態となっている場合を示す図、（Ｂ）は入力部が操作可能状態となっている場合を示す図、（Ｃ）は入力部が操作された場合を示す図
【図７】第３実施形態による無線タグ装置の一例を示す平面図であって、（Ａ）は入力部が操作不可状態となっている場合を示す図、（Ｂ）は入力部が操作可能状態となっている場合を示す図、（Ｃ）はパッシブ型ＩＣタグが終端位置まで出された状態を示す図
【図８】第３実施形態による無線タグ装置の一例を示す断面図であって、（Ａ）は入力部が操作不可状態となっている場合を示す図、（Ｂ）は入力部が操作可能状態となって操作された場合を示す図、（Ｃ）はパッシブ型ＩＣタグが終端位置まで出された状態を示す図
【発明を実施するための形態】
【００２２】
（第１実施形態）
第１実施形態について図１〜図４を参照して説明する。図１に示す無線タグ装置１０は、例えばホームセキュリティシステムの一部を構成するもので、防犯センサ等の警備機器を制御する制御装置に対し、各種設定や警備状態の解除等の操作を行う際の認証に用いるためのものである。無線タグ装置１０は、ケース２０と、パッシブ型ＩＣタグ３０と、図４に示すアクティブ型ＩＣタグ４０と、を備えている。無線タグ装置１０は、パッシブ型ＩＣタグ３０及びアクティブ型ＩＣタグ４０を、１つの共通するケース２０に収納して構成されている。無線タグ装置１０は、全体としてユーザが鞄等に入れて携帯することができる程度のサイズ、例えばユーザの手のひらに収まる程度のサイズである。
【００２３】
ケース２０は、樹脂製であって、無線タグ装置１０の外殻を構成している。ケース２０は、パッシブ型ＩＣタグ３０を出し入れ可能に収納するとともに、アクティブ型ＩＣタグ４０を取り外し不可な状態で収納する。ケース２０は、例えば矩形の箱状に構成されており、溝２１、閉塞部２２、開口部２３、及びストッパ部材２４を有している。
【００２４】
溝２１は、ケース２０の一面を長方形状に窪ませた形状であり、ケース２０の一方側の端部から他方側の端部に亘って形成されている。この場合、溝２１の大部分は、外部に向けて開放されており、残りの部分はケース２０の表面を構成する閉塞部２２によって閉塞されている。開口部２３は、溝２１によってケース２０の一面を貫かれて形成された矩形状の穴である。開口部２３は、ケース２０の周囲を構成する面のうち、溝２１の長手方向の一方の端面を貫いて形成されている。開口部２３は、溝２１の内部と外部とを連通している。ストッパ部材２４は、溝２１の長手方向の他方の端部に着脱可能に設けられており、溝２１の他方の端部を閉塞している。
【００２５】
パッシブ型ＩＣタグ３０は、例えば個体識別情報等を記憶したＲＦＩＤであり、図示しない制御機器などの外部の機器から発せられる電波を受けて駆動する。パッシブ型ＩＣタグ３０は、溝２１に沿った長尺の棒状つまりスティック状に構成されており、溝２１内にスライド可能に収納されている。パッシブ型ＩＣタグ３０は、図２に示すように、溝２１に沿ってスライド移動することで、開口部２３を通してケース２０に対して出し入れされる。
【００２６】
本実施形態では、溝２１の長手方向つまりパッシブ型ＩＣタグ３０の長手方向を、パッシブ型ＩＣタグ３０のスライド方向とする。そして、パッシブ型ＩＣタグ３０の長手方向の両端部のうち、開口部２３側の端部を先端部とし、先端部とは反対側の端部つまりストッパ部材２４側の端部を後端部とする。すなわち、スライド方向のうち、開口部２３側を先端側とし、ストッパ部材２４側を後端側とする。
【００２７】
パッシブ型ＩＣタグ３０は、操作部３１を有している。操作部３１は、パッシブ型ＩＣタグ３０の長手方向の後端部に設けられている。操作部３１は、ユーザがパッシブ型ＩＣタグ３０を操作する際に、ユーザからの入力操作を受けるための部材である。操作部３１は、図４に示すように、ケース２０の表面から突出しないように構成され、かつ、パッシブ型ＩＣタグ３０を先端側へスライドさせた際に閉塞部２２に係止するように構成されている。
【００２８】
パッシブ型ＩＣタグ３０は、ケース２０からストッパ部材２４が取り外された状態で溝２１内に挿入される。そして、ストッパ部材２４が溝２１の後端側に取り付けられる。この状態において、パッシブ型ＩＣタグ３０は、先端側へスライド移動した場合には操作部３１が閉塞部２２に係止し、後端側へスライド移動した場合には操作部３１がストッパ部材２４に係止する。
【００２９】
すなわち、パッシブ型ＩＣタグ３０が先端側へスライドした場合には、操作部３１が閉塞部２２に当って先端側への更なるスライドが規制される。また、パッシブ型ＩＣタグ３０が後端側へスライドした場合には、操作部３１がストッパ部材２４に当って後端側への更なるスライドが規制される。このようにして、パッシブ型ＩＣタグ３０は、溝２１から脱落しないように構成されている。
【００３０】
また、ケース２０は、図３に示すように、始端位置規定部２５及び終端位置規定部２６を有している。始端位置規定部２５及び終端位置規定部２６は、それぞれパッシブ型ＩＣタグ３０のスライド移動の開始位置つまり始端位置、及びスライド移動の完了位置つまり終端位置を規定する。この場合、始端位置規定部２５は、溝２１の長手方向に対してストッパ部材２４側つまり溝２１の後端側に設けられている。終端位置規定部２６は、溝２１の長手方向に対して開口部２３側つまり溝２１の先端側に設けられている。
【００３１】
始端位置規定部２５及び終端位置規定部２６は、同一形状であって、例えば溝２１の側面から溝２１の幅方向の中心へ向かって突出した突起で構成されている。そして、操作部３１には、始端位置規定部２５及び終端位置規定部２６を受ける窪みが形成されており、パッシブ型ＩＣタグ３０がスライド移動した場合に、操作部３１の窪み部分に始端位置規定部２５又は終端位置規定部２６が嵌まり込むことで、パッシブ型ＩＣタグ３０の位置が規定される。
【００３２】
本実施形態において、パッシブ型ＩＣタグ３０がスライド移動の始端位置にある状態、つまり始端位置規定部２５によって位置が定まっている状態を、収納状態と称する。すなわち、パッシブ型ＩＣタグ３０が収納状態にあるとは、パッシブ型ＩＣタグ３０が開口部２３からケース２０の外方へ押し出されておらず、ケース２０内に完全に収納されている状態を意味する。また、パッシブ型ＩＣタグ３０がスライド移動して始端位置から離れた状態、つまり始端位置規定部２５による位置の規定から外れた状態を、非収納状態と称する。すなわち、パッシブ型ＩＣタグ３０が非収納状態にあるとは、パッシブ型ＩＣタグ３０が始端位置からスライド移動し、これによりパッシブ型ＩＣタグ３０の少なくとも一部が開口部２３からケース２０の外方へ押し出されている状態を意味する。
【００３３】
アクティブ型ＩＣタグ４０は、パッシブ型ＩＣタグ３０と同じ個体識別情報等を記憶したＲＦＩＤであり、内蔵する電池によって駆動して外部の機器と無線通信を行うことができる。アクティブ型ＩＣタグ４０は、図４にも示すように、ケース２０内に収納されている。この場合、アクティブ型ＩＣタグ４０は、ケース２０内に固定されている。アクティブ型ＩＣタグ４０は、回路基板４１と、スイッチ機構４２と、を有している。回路基板４１には、アクティブ型ＩＣタグ４０の機能を発揮するための電気回路が設けられており、また、例えば電力源としてボタン型電池５０が着脱可能に取り付けられている。
【００３４】
スイッチ機構４２は、ユーザの物理的な入力操作に基づいて、アクティブ型ＩＣタグ４０の電源のＯＮ、ＯＦＦや、その他の駆動を制御するためのものである。スイッチ機構４２は、スイッチ４２１、入力部４２２、及び弾性部材４２３を有している。スイッチ４２１は、例えば回路基板４１に実装されたタクトスイッチである。
【００３５】
入力部４２２は、ユーザからの直接的な入力操作を受けて、その入力操作をスイッチ４２１に伝達するための部材である。入力部４２２は、例えば樹脂又はゴム製のボタンである。入力部４２２は、回路基板４１には固定されておらず、回路基板４１に対して相対的に移動可能に構成されている。弾性部材４２３は、例えばコイルばねであって、入力部４２２と回路基板４１との間に設けられており、入力部４２２を回路基板４１から離間する方向へ付勢している。ユーザは、入力部４２２を押圧操作することで、入力部４２２を介してスイッチ４２１を操作することができる。この場合、入力部４２２の外側の面つまりユーザ側の面は、ユーザが操作し易いように、外方へ向かって突出するように湾曲している。
【００３６】
スイッチ機構４２は、溝２１と重なる位置であって、溝２１の底部２１１と回路基板４１との間に設けられている。この場合、スイッチ機構４２は、パッシブ型ＩＣタグ３０が始端位置及び終端位置にある場合において、操作部３１と重ならない位置に設けられている。溝２１の底部２１１には、貫通穴２１２が形成されている。貫通穴２１２は、入力部４２２の外形に沿った形状の穴で構成されている。入力部４２２の一部は、ケース２０の内側から貫通穴２１２に嵌め込まれている。これにより、入力部４２２は、貫通穴２１２を通して底部２１１からケース２０の外部に露出しているとともに、貫通穴２１２の周囲に案内されて回路基板４１の厚み方向へ摺動可能となっている。この場合、入力部４２２は、貫通穴２１２に嵌め込まれていない部分が貫通穴２１２の周囲に係止することにより、貫通穴２１２から溝２１側へ抜けて外れないように構成されている。
【００３７】
パッシブ型ＩＣタグ３０がケース２０に収納された収納状態にある場合、入力部４２２は、図１、図３（Ａ）、及び図４（Ａ）に示すように、パッシブ型ＩＣタグ３０に覆われている。これにより、入力部４２２は、ユーザの操作を受け付けない操作不可状態となる。一方、パッシブ型ＩＣタグ３０がケース２０から引き出された非収納状態にある場合、入力部４２２は、パッシブ型ＩＣタグ３０に覆われずに外部に露出する。これにより、入力部４２２は、ユーザの操作を受け付ける操作可能状態となる。
【００３８】
この構成において、ユーザがパッシブ型ＩＣタグ３０を使用する場合及びユーザがスイッチ機構４２を操作する場合、ユーザは、図４（Ａ）に示すように指９０等を用いて操作部３１を押して、パッシブ型ＩＣタグ３０を終端位置まで押し出す。パッシブ型ＩＣタグ３０を使用する場合は、図４（Ｂ）に示すようにパッシブ型ＩＣタグ３０をケース２０から押し出した状態で使用する。また、スイッチ機構４２を操作する場合は、図４（Ｂ）に示すようにパッシブ型ＩＣタグ３０をケース２０から押し出して入力部４２２を露出させた状態で、入力部４２２に対して押圧操作を行う。
【００３９】
以上説明した実施形態によれば、無線タグ装置１０は、ケース２０と、パッシブ型ＩＣタグ３０と、アクティブ型ＩＣタグ４０と、スイッチ機構４２と、を備える。ケース２０は、溝２１を有している。パッシブ型ＩＣタグ３０は、外部の機器から発せられる電波を受けて駆動し、溝２１内に収納されて溝２１に沿ってスライドすることでケース２０に対して出し入れ可能に構成されている。アクティブ型ＩＣタグ４０は、ケース２０内に設けられており、電池によって駆動して外部の機器と無線通信を行うことができる。スイッチ機構４２は、ユーザからの入力操作を受ける入力部４２２と、入力部４２２に入力された入力操作に基づいてアクティブ型ＩＣタグ４０の駆動を制御するスイッチ４２１と、を有する。
【００４０】
この構成によれば、パッシブ型ＩＣタグ３０とアクティブ型ＩＣタグ４０とが１つの共通するケース２０に収納されている。このため、例えばパッシブ型ＩＣタグ３０とアクティブ型ＩＣタグ４０とが鞄の中で分散してしまい、ＩＣタグ３０、４０を探すために手間を要するといったことを回避できる。このように、本実施形態によれば、ユーザは、無線タグ装置１０を１つの機器として管理することでパッシブ型ＩＣタグ３０とアクティブ型ＩＣタグ４０との両方を管理することができる。このため、ユーザがパッシブ型ＩＣタグ３０とアクティブ型ＩＣタグ４０との両方を携帯する場合でも、２つのＩＣタグ３０、４０の管理が容易になり、その結果、ユーザの利便性の向上が図られる。
【００４１】
そして、本実施形態によれば、入力部４２２は、パッシブ型ＩＣタグ３０がケース２０に収納された収納状態において操作入力を受け付けない操作不可状態となり、パッシブ型ＩＣタグ３０がケース２０から出された非収納状態において操作入力を受け付ける操作可能状態となる。これによれば、無線タグ装置１０を鞄の中などに収納する場合、ユーザは、パッシブ型ＩＣタグ３０をケース２０に収納して収納状態とすることで、パッシブ型ＩＣタグ３０がケース２０によって保護される。更に、パッシブ型ＩＣタグ３０をケース２０に収納して収納状態とすることで、入力部４２２に対する操作が行えなくなることから、鞄の中などで入力部が押されっ放しになるなど誤操作を低減することができる。その結果、誤操作によって鞄の中などで無駄に電力が消費されてしまい、ユーザが使用したいときに電池切れで使用できない等の事態を抑制することができる。
【００４２】
また、無線タグ装置１０において、入力部４２２は、溝２１の底部２１１から露出して設けられている。そして、入力部４２２は、パッシブ型ＩＣタグ３０が収納状態の場合にはパッシブ型ＩＣタグ３０に覆われて操作不可状態となり、パッシブ型ＩＣタグ３０が収容状態からスライド移動した場合にパッシブ型ＩＣタグ３０に覆われずに外部に露出して操作可能状態となる。
【００４３】
これによれば、ユーザが無線タグ装置１０を鞄などに収納する際、パッシブ型ＩＣタグ３０を収納状態にすることで、入力部４２２がパッシブ型ＩＣタグ３０に覆われて操作不可状態となる。これにより、入力部４２２に対する誤操作をより確実に防止することができる。
【００４４】
また、本実施形態によれば、入力部４２２は、溝２１の底部２１１から露出して設けられている。これによれば、ユーザが入力部４２２を操作する際、ユーザは、指９０を溝２１の内部に入れて入力部４２２を操作する必要がある。このため、ケース２０の表面に入力部４２２と設けた場合に比べて、本実施形態の入力部４２２は、ユーザにとって操作し難い位置となっている。そして、指９０を溝に入れるという動作は、無線タグ装置１０を持ち運んだり、パッシブ型ＩＣタグ３０を出し入れしたりするような普段の使用状況では行わない動作である。このように、本実施形態の入力部４２２は、ケース２０の表面に入力部４２２を設けた場合に比べてユーザにとって操作し難い位置に設けられており、また、入力部４２２を操作する場合には、敢えて溝２１の中に指を入れるという普段の動作とは異なった動作とすることで、誤作動をより確実に抑制することができる。
【００４５】
また、ユーザが入力部４２２に対する操作を行う場合、ユーザは、パッシブ型ＩＣ３０タグを指９０で押すなどしてケース２０から押し出すことになる。そして、入力部４２２は、溝２１の底部２１１から露出するように設けられている。このため、入力部４２２は、パッシブ型ＩＣタグ３０を指９０で押し出して入力部４２２を露出させる際のユーザの指９０の移動軌跡上に位置することになる。そのため、ユーザは、パッシブ型ＩＣタグ３０を押し出す動作に続いて入力部４２２を操作することができる。つまり、パッシブ型ＩＣタグ３０を押し出す動作と入力部４２２の操作とを一連の動作で行うことができるため、操作性が良い。このように、本実施形態によれば、入力部４２２に対する誤作動をより確実に抑制しつつ操作性を向上させることができる。
【００４６】
（第２実施形態）
次に、第２実施形態について図５及び図６を参照して説明する。
第２実施形態による無線タグ装置１０は、上記第１実施形態の入力部４２２に換えて、入力部４２４を備えている。本実施形態の入力部４２４は、上記第１実施形態の入力部４２２とは位置及び操作方法がと異なる。本実施形態の入力部４２４は、図５（Ｂ）、（Ｃ）及び図６（Ｂ）、（Ｃ）に示すように、パッシブ型ＩＣタグ３０をスライド移動の終端位置までスライド移動させた場合に、操作入力を受け付ける操作可能状態となる。
【００４７】
この場合、無線タグ装置１０に設けられた操作部３２は、突出部３２を更に有している。突出部３２は、操作部３１において溝２１の底部２１１と対向する面から底部２１１側へ突出している。この場合、突出部３２は、操作部３１と一体に構成されている。これにより、突出部３２は、パッシブ型ＩＣタグ３０と一体的に移動可能に構成されている。
【００４８】
また、本実施形態において、スイッチ機構４２は、溝２１の長手方向における先端側に設けられている。この場合、スイッチ機構４２の入力部４２４は、パッシブ型ＩＣタグ３０がいずれの位置にスライド移動した場合であっても、パッシブ型ＩＣタグ３０に常に覆われる位置に設けられている。そして、スイッチ機構４２の入力部４２４は、図５（Ａ）及び図６（Ａ）に示すように、パッシブ型ＩＣタグ３０がスライドの始端位置にあるときに突出部３２と重ならず、かつ、図５（Ｂ）及び図６（Ｂ）に示すように、パッシブ型ＩＣタグ３０がスライドの終端位置にあるときに突出部３２と重なる位置に設けられている。
【００４９】
また、本実施形態において、ケース２０は、図６に示すように支持部２７を更に有している。支持部２７は、溝２１の底部２１１からパッシブ型ＩＣタグ３０へ向かって突出して設けられている。支持部２７は、パッシブ型ＩＣタグ３０の下面つまり溝２１の底部２１１と対向する面を揺動可能に支持する。なお、実施形態において入力部４２４は、ユーザの指９０が直接触れて操作されることを前提としてない。このため、入力部４２４の外側の面つまりユーザ側の面は、極力ユーザが操作し難いように平坦な面になっている。
【００５０】
本実施形態において、パッシブ型ＩＣタグ３０が、図５（Ａ）及び図６（Ａ）に示す収納状態から先端側へスライド移動して、図５（Ｂ）及び図６（Ｂ）に示すように終端位置までスライド移動すると、図６（Ｂ）に示すように、入力部４２２と突出部３２とが重なる。そして、入力部４２２と突出部３２とが重なった状態で、図６（Ｃ）に示すようにパッシブ型ＩＣタグ３０の操作部３１にユーザの指９０による押圧操作が入力されると、パッシブ型ＩＣタグ３０は、支持部２７を支点に揺動する。これにより、操作部３１に入力された押圧操作が、操作部３１に設けられた突出部３２を介して入力部４２２に伝達されて、スイッチ４２１が操作される。
【００５１】
本実施形態によれば、上記第１実施形態と同様の作用効果が得られる。
更に、本実施形態において、無線タグ装置１０は、パッシブ型ＩＣタグ３０に設けられ溝２１の底部２１１側へ突出する突出部３２を更に備える。入力部４２４は、溝２１の底部２１１から露出しかつパッシブ型ＩＣタグ３０が収納状態の場合において突出部３２とは重ならない位置に設けられている。そして、パッシブ型ＩＣタグ３０が収納状態からスライド移動して入力部４２４と突出部３２とが重なった状態でパッシブ型ＩＣタグ３０に押圧操作が入力されるとその押圧操作が突出部３２を介して入力部４２４に伝達されてスイッチ４２１が操作される。
【００５２】
これによれば、ユーザは、パッシブ型ＩＣタグ３０を押し出すための操作を入力する部位と、入力部４２２に対する押圧操作を入力する部位とを、一か所、この場合、操作部３１に集約することができる。これにより、入力部４２４に対する押圧操作を入力する際の操作をより簡単なものにすることができる。
【００５３】
また、ユーザは、操作部３１を押してパッシブ型ＩＣタグ３０を押し出した後にそのまま操作部３１を押し込む、という一連の動作によって入力部４２４に対する押圧操作を入力することができる。そのため、操作が簡単になるとともに、入力部４２４が設けられている箇所を探す必要がなくなり、その結果、操作性の向上が図られる。更には、パッシブ型ＩＣタグ３０を押し出して使用しながら入力部４２４を操作する、といった場合にも、パッシブ型ＩＣタグ３０の一か所に対する操作、この場合、操作部３１に対する操作ですむため、操作が簡単になり、その結果、操作性の向上が図られる。
【００５４】
また、ケース２０は、支持部２７を更に有している。支持部２７は、溝２１の底部２１１から突出して設けられてパッシブ型ＩＣタグ３０を支持する。これによれば、ユーザが入力部４２４に押圧操作を入力するためにパッシブ型ＩＣタグ３０の操作部３１を押し込むと、パッシブ型ＩＣタグ３０は支持部２７を支点に揺動する。したがって、支持部２７が設けられていない場合に比べて、突出部３２が入力部４２４を押圧操作するために必要な突出部３２の移動量をより確実に確保することができる。その結果、少ない入力量で入力部４２４を確実に押すことができるようになる。
【００５５】
また、入力部４２４は、パッシブ型ＩＣタグ３０がスライド移動の終端位置にある場合に突出部３２と重なる位置に設けられている。これによれば、ユーザが入力部４２４に対する操作を行う際、ケース２０から飛び出ているパッシブ型ＩＣタグ３０の寸法が、パッシブ型ＩＣタグ３０のスライド移動の範囲内において最大となる。この場合、ユーザがパッシブ型ＩＣタグ３０の操作部３１を押し込んで入力部４２４を操作すると、パッシブ型ＩＣタグ３０の先端部分が大きく揺動する。これによれば、ユーザは、パッシブ型ＩＣタグ３０の操作部３１を押し込んでスイッチ機構４２を操作した場合に、パッシブ型ＩＣタグ３０の先端の揺動を見ることで、入力部４２４が操作されたか否かをより確実に把握することができる。
【００５６】
（第３実施形態）
次に、第３実施形態について図７及び図８を参照して説明する。
第３実施形態による無線タグ装置１０は、入力部４２４の位置が上記第２実施形態と異なる。本実施形態において、入力部４２４は、図７（Ｂ）及び図８（Ｂ）に示すように、パッシブ型ＩＣタグ３０がスライド移動の中間位置にある場合に突出部３２と重なる位置に設けられている。
【００５７】
本実施形態において、ケース２０は、中間位置規定部２８を更に有している。中間位置規定部２８は、始端位置規定部２５及び終端位置規定部２６と同一形状であって、かつ始端位置規定部２５及び終端位置規定部２６と同様に、例えば溝２１の側面から溝２１の幅方向の中心へ向かって突出した突起で構成されている。そして、中間位置規定部２８は、操作部３１の窪み部分に嵌り込むことで、パッシブ型ＩＣタグ３０の位置をスライド移動の中間位置に規定する。中間位置は、スライド移動の途中の位置すなわちスライド移動の始端位置から終端位置の間であって、かつ突出部３２と入力部４２４とが重なる位置である。この場合、入力部４２４は、図７（Ｂ）及び図８（Ｂ）に示すように、パッシブ型ＩＣタグ３０をスライド移動の中間位置までスライド移動させた場合に、操作入力を受け付ける操作可能状態となる。
【００５８】
このように、本実施形態の無線タグ装置１０において、入力部４２４は、パッシブ型ＩＣタグ３０がスライド移動の中間位置にある場合に突出部３２と重なる位置に設けられている。すなわち、本実施形態では、入力部４２４に対する操作を行うためにパッシブ型ＩＣタグ３０をスライド移動させる中間位置と、パッシブ型ＩＣタグ３０を使用する際にスライド移動させる終端位置とが、明確に異なっている。これによれば、パッシブ型ＩＣタグ３０を使用する際の操作と、入力部４２４を操作する際の操作とを、明確に異ならせることができる。その結果、ユーザがパッシブ型ＩＣタグ３０を使用しようとしたにも関わらず、誤ってパッシブ型ＩＣタグ３０の操作部３１が押し込まれてスイッチ機構４２が誤操作されてしまうような事態をより確実に防ぐことができる。
【００５９】
なお、上記各実施形態による無線タグ装置１０は、上述したホームセキュリティ以外の技術分野においても適用することができる。
また、パッシブ型ＩＣタグ３０は、矩形の棒状に限られず、例えば円柱状であっても良い。
上記説明した各実施形態は、上記し且つ図面に記載した各実施形態に限定されるものではなく、発明の要旨を逸脱しない範囲において適宜変更することができる。
【符号の説明】
【００６０】
図面中、１０は無線タグ装置、２０はケース、２１は溝、２１１は底部、３０はパッシブ型ＩＣタグ、３２は突出部、４０はアクティブ型ＩＣタグ、４２はスイッチ機構、４２１はスイッチ、４２２、４２４は入力部、を示す。
【図１】
2020119003.tif 000003
【図２】
2020119003.tif 000004
【図３】
2020119003.tif 000005
【図４】
2020119003.tif 000006
【図５】
2020119003.tif 000007
【図６】
2020119003.tif 000008
【図７】
2020119003.tif 000009
【図８】
2020119003.tif 000010